(57)【要約】      （修正有）【課題】軽量鉄骨の天井板、一般の天井板、壁面などの平面上へ取り付けることができ、製造・組立てが簡単でコストが少ない軽量鉄骨グリッドランプを提供する。【解決手段】軽量鉄骨グリッドランプは、ランプケース１、複数のランプモジュール２、複数の駆動器３及びグリッドランプカバー４を備える。ランプケース１は、下方に開口した矩形状筐体であり、矩形状の底板１０と、底板１０の４つの側辺から延びた４つの枠辺１１とを有する。ランプモジュール２は、底板１０の底面に着脱自在に接続されるとともに、ランプホルダ２１、少なくとも１つの直管型ＬＥＤランプ２２、少なくとも１つの直管型ランプカバー２３及び２つのサイドカバー２４をそれぞれ含む。駆動器３は、底板１０に着脱自在に接続され、直管型ＬＥＤランプ２２と電気的に接続される。グリッドランプカバー４は、枠体４０及び複数の光反射板４１を含む。【選択図】図１
0003180028.tif 000002
【実用新案登録請求の範囲】
【請求項１】
ランプケース、複数のランプモジュール、複数の駆動器及びグリッドランプカバーを備えた軽量鉄骨グリッドランプであって、
前記ランプケースは、下方に開口した矩形状筐体であり、矩形状の底板と、前記底板の４つの側辺から延びた４つの枠辺と、を有し、
前記ランプモジュールは、前記底板の底面に着脱自在に接続されるとともに、ランプホルダ、少なくとも１つの直管型ＬＥＤランプ、少なくとも１つの直管型ランプカバー及び２つのサイドカバーをそれぞれ含み、前記ランプホルダは、アルミニウム製の中空状管体であり、固定片、２つの側片及び接続片を有し、前記固定片は、前記底板に貼り付けられ、複数の引掛け孔を有し、前記側片は、前記固定片の２つの側辺からそれぞれ下へ向かって延びるに従って互いに接近する円弧状を呈し、前記側片の外周面上には、間隔をおいて複数の凸部を有し、前記接続片の側辺には、前記２つの側片がそれぞれ接続され、前記直管型ＬＥＤランプは、前記接続片上に結合されてランプの光を下向きに出射し、前記直管型ランプカバーは、透光材料からなり、側面が開口し、前記ランプホルダに結合されて前記直管型ＬＥＤランプを覆い、前記２つのサイドカバーは、前記ランプホルダと、前記直管型ランプカバーの両端面と、を覆い、
前記駆動器は、前記底板に着脱自在に接続し、前記直管型ＬＥＤランプと電気的に接続するとともに外部電源と接続し、
前記グリッドランプカバーは、枠体及び複数の光反射板を有し、前記枠体は、前記ランプケースの枠辺内側に着脱自在に接続し、前記光反射板は、前記枠体内に長手方向に設けられ、それぞれに傾斜角度を有し、前記ランプモジュールから出射された光を前記底板から遠ざける方向へ屈折することを特徴とする軽量鉄骨グリッドランプ。
【請求項２】
前記引掛け孔は、第１の引掛け孔及び第２の引掛け孔を有し、
前記第１の引掛け孔は、第１の挿入孔と、前記第１の挿入孔の側部から延びる長尺状の第１の係止孔と、を有し、
前記第２の引掛け孔は、第２の挿入孔と、前記第２の挿入孔の側部から延びる長尺状の第２の係止孔と、前記第２の係止孔と連通する弧形状孔と、を有することを特徴とする請求項１に記載の軽量鉄骨グリッドランプ。
【請求項３】
前記直管型ＬＥＤランプは、回路基板及び複数のＬＥＤを有し、
前記回路基板は、長尺状で複数の結合ネジにより前記接続片の底面に螺着し、
前記ＬＥＤは、前記回路基板の底面に配置され、前記接続片の底面には、前記回路基板を収納する凹溝が設けられ、前記凹溝の槽底面には、複数のネジを螺合する溝部を有することを特徴とする請求項１に記載の軽量鉄骨グリッドランプ。
【請求項４】
前記サイドカバーは、前記ランプホルダ及び前記直管型ランプカバーの両端内に嵌入する複数の突片を側面に有し、前記ランプホルダの両端面には、複数の螺合ネジを螺合し、
前記ランプホルダの両端面には、前記螺合ネジを螺合する複数の螺合孔を有することを特徴とする請求項３に記載の軽量鉄骨グリッドランプ。
【請求項５】
前記回路基板は、第１の導線を端部に有し、前記第１の導線は、前記ランプホルダの外部でクイックプラグに電気的に接続し、
前記駆動器は、第２の導線が一方の端面に設けられ、電源線が他方の端面に設けられ、
前記第２の導線の端部には、前記クイックプラグを挿着するクイックソケットを有し、前記電源線を前記ランプケースの外部まで延ばして前記外部電源に接続し、前記サイドカバーには、前記第１の導線又は前記電源線を挿設させる少なくとも１つの穿孔が設けられることを特徴とする請求項４に記載の軽量鉄骨グリッドランプ。
【請求項６】
前記サイドカバー上には、バンプがそれぞれ設けられ、
前記バンプには、天井板又は壁面に螺合させる固定ネジを挿設する固定孔を有することを特徴とする請求項５に記載の軽量鉄骨グリッドランプ。
【請求項７】
前記固定孔は、前記バンプの側辺まで延びて開口状を呈することを特徴とする請求項６に記載の軽量鉄骨グリッドランプ。
【請求項８】
前記固定孔の底面には、前記固定ネジの頭部を収納する大きめの外径を有する階段状槽を有することを特徴とする請求項７に記載の軽量鉄骨グリッドランプ。
【請求項９】
前記ランプモジュールは、複数の位置決めネジにより、前記ランプケースにそれぞれ螺着され、前記位置決めネジを頂面から前記底板に挿設して前記ランプホルダの前記固定片に螺合することを特徴とする請求項５に記載の軽量鉄骨グリッドランプ。
【請求項１０】
前記グリッドランプカバーは、複数の格子を有し、
前記格子は、前記枠体内で短手方向で結合して前記光反射板と交錯することを特徴とする請求項５に記載の軽量鉄骨グリッドランプ。
【考案の詳細な説明】
【技術分野】
【０００１】
本考案は、ランプに関し、特に、軽量鉄骨の天井板、一般の天井板、壁面などの平面上へ取り付けることができるため応用範囲が広く、製造・組立てが簡単でコストが少ないなどの特長を有する軽量鉄骨グリッドランプに関する。
【背景技術】
【０００２】
従来の軽量鉄骨グリッドランプ（例えば、特許文献１）は、ランプケース、複数の蛍光灯及びグリッドランプカバーを含む。ランプケースは、下方に開口した矩形状の箱体であり、軽量鉄骨の天井板上へ設置するために用い、ランプケースの互いに対向した２つの箱壁上には、互いに対象に設置された複数のランプソケットへ蛍光灯をそれぞれ挿設した後、ランプケースの開口にグリッドランプカバーを結合し、枠体と、枠体内に設けた光反射板とにより構成したグリッドランプカバーにより蛍光灯の光を反射させて好適な照度を得る。しかし、蛍光灯は、ギラツキが生じたり、高消費電力、低発光効率といった欠点を有する上、環境を汚染させる虞がある。そのため、ギラツキ、消費電力及び環境汚染が少ないなどの特長を有する発光ダイオード（ＬＥＤ）を光源としたランプが近年主流となり、従来の蛍光灯を徐々に代替している。
【０００３】
現在市販されている発光ダイオード（ＬＥＤ）を光源とする軽量鉄骨グリッドランプ（例えば、特許文献２及び特許文献３）は、下方に開口した矩形状のランプケース内に複数の直管型ＬＥＤランプが配置されている。各直管型ＬＥＤランプには、複数のＬＥＤが設けられ、ランプケースの開口上を拡散板で覆って構成する。しかし、このような軽量鉄骨グリッドランプは、軽量鉄骨の天井板にしか取り付けることができず、一般の天井板（例えば、ＲＣ構造又は木板構造）、壁面などの平面上には取り付けることができない上、直管型ＬＥＤランプを外して単独で照明設備として使用することができなかったため、応用範囲が狭かった。また、ランプケースの底面に固定した複数の直管型ＬＥＤランプを利用することにより、蛍光灯に似た発光効果を得ることができる上、拡散板を利用して一般のグリッドランプの代わりとして使用したりするものもある。しかし、直管型ＬＥＤランプの照射角度は、ランプケースの制限を受けると照明範囲が小さくなる上、ランプケース上へ直管型ＬＥＤランプを直接固定するため、放熱効果が好ましくない上、拡散板がランプの輝度に悪影響を与える虞がある。特に、グリッドランプカバーを備えていないため、下から見た形状が従来の軽量鉄骨グリッドランプと異なり、既存の軽量鉄骨グリッドランプを、直管型ＬＥＤランプを光源として使用する軽量鉄骨グリッドランプと交換する際、室内空間の見た目に悪影響を与えないため、全て一緒に交換する必要がある。そのため、コストが増えるだけでなく、グリッドランプカバーが最後まで利用されずに捨てられ、浪費されることがある。
【０００４】
そのため、上述した従来技術の欠点を備えない軽量鉄骨グリッドランプが求められていた。
【先行技術文献】
【特許文献】
【０００５】
【特許文献１】台湾実用新案登録第３６７２９３号公報
【特許文献２】台湾実用新案登録第３５７５６５号公報
【特許文献３】台湾実用新案登録第３９９２６６号公報
【考案の概要】
【考案が解決しようとする課題】
【０００６】
本考案の主な目的は、軽量鉄骨の天井板、一般の天井板、壁面などの平面上へ取り付けることができるため応用範囲が広く、製造・組立てが簡単でコストが少ないなどの特長を有する軽量鉄骨グリッドランプを提供することにある。
【課題を解決するための手段】
【０００７】
上記課題を解決するために、本考案の第１の形態によれば、ランプケース、複数のランプモジュール、複数の駆動器及びグリッドランプカバーを備えた軽量鉄骨グリッドランプであって、前記ランプケースは、下方に開口した矩形状筐体であり、矩形状の底板と、前記底板の４つの側辺から延びた４つの枠辺と、を有し、前記ランプモジュールは、前記底板の底面に着脱自在に接続されるとともに、ランプホルダ、少なくとも１つの直管型ＬＥＤランプ、少なくとも１つの直管型ランプカバー及び２つのサイドカバーをそれぞれ含み、前記ランプホルダは、アルミニウム押出成形の中空状管体であり、固定片、２つの側片及び接続片を有し、前記固定片は、前記底板に貼り付けられ、複数の引掛け孔を有し、前記側片は、前記固定片の２つの側辺からそれぞれ下へ向かって延びるに従い互いに接近する円弧状プレートにそれぞれ形成され、前記側片の外周面上には、間隔をおいて複数の凸部が設けられ、前記接続片の側辺には、前記側片２つがそれぞれ接続され、前記直管型ＬＥＤランプは、前記接続片上に結合されてランプの光を下向きに出射し、前記直管型ランプカバーは、透光材料からなり、側面が開口状を呈し、前記ランプホルダに結合されて前記直管型ＬＥＤランプを覆い、前記２つのサイドカバーは、前記ランプホルダと、前記直管型ランプカバーの両端面と、を覆い、前記駆動器は、前記底板に着脱自在に接続され、前記直管型ＬＥＤランプと電気的に接続されるとともに外部電源と接続され、前記グリッドランプカバーは、枠体及び複数の光反射板を含み、前記枠体は、前記ランプケースの枠辺内側に着脱自在に接続され、前記光反射板は、前記枠体中に長手方向で結合され、それぞれに傾斜角度が設けられて前記ランプモジュールから出射された光を前記底板から遠ざける方向へ屈折させることを特徴とする軽量鉄骨グリッドランプが提供される。
【０００８】
前記引掛け孔は、第１の引掛け孔及び第２の引掛け孔を含み、前記第１の引掛け孔は、第１の挿入孔と、前記第１の挿入孔の側部から延びて小さめの孔径を有して長尺状を呈する第１の係止孔と、を有し、前記第２の引掛け孔は、第２の挿入孔と、前記第２の挿入孔の側部から延びて小さめの孔径を有して長尺状を呈する第２の係止孔と、弧形状を呈して前記第２の係止孔と連通した弧形状孔と、を有することが好ましい。
【０００９】
前記直管型ＬＥＤランプは、回路基板及び複数のＬＥＤを含み、前記回路基板は、長尺状を呈して複数の結合ネジにより前記接続片の底面に螺着させ、前記ＬＥＤは、前記回路基板の底面に配置され、前記接続片の底面には、前記回路基板を収納する凹溝が設けられ、前記凹溝の槽底面には、複数のネジを螺合させる溝部が設けられることが好ましい。
【００１０】
前記サイドカバーは、前記ランプホルダ及び前記直管型ランプカバーの両端中に嵌入させる複数の突片が側面に設けられ、前記ランプホルダの両端面に複数の螺合ネジを螺合させ、前記ランプホルダの両端面には、前記螺合ネジを螺合させる複数の螺合孔が設けられることが好ましい。
【００１１】
前記回路基板は、第１の導線を端部に有し、前記第１の導線は、前記ランプホルダの外部まで延ばされてクイックプラグを有し、前記駆動器は、第２の導線が一方の端面に設けられ、電源線が他方の端面に設けられ、前記第２の導線の端部には、前記クイックプラグを挿着するクイックソケットが配置され、前記電源線を前記ランプケースの外部まで延ばして前記外部電源に接続させ、前記サイドカバーには、前記第１の導線又は前記電源線を挿設させる少なくとも１つの穿孔が設けられることが好ましい。
【００１２】
前記サイドカバー上には、バンプがそれぞれ設けられ、前記バンプには、一般の天井板又は壁面に螺合させる固定ネジを挿設する固定孔が設けられることが好ましい。
【００１３】
前記固定孔は、前記バンプの側辺まで延びて開口状を呈することが好ましい。
【００１４】
前記固定孔の底面には、前記固定ネジの頭部を収納する大きめの外径を有する階段状槽が形成されることが好ましい。
【００１５】
前記ランプモジュールは、複数の位置決めネジにより、前記ランプケースにそれぞれ螺着され、前記位置決めネジを頂面から前記底板に挿設して前記ランプホルダの前記固定片に螺合させることが好ましい。
【００１６】
前記グリッドランプカバーは、複数の格子を含み、前記格子は、前記枠体中で短手方向で結合されて前記光反射板と交錯されることが好ましい。
【考案の効果】
【００１７】
本考案の軽量鉄骨グリッドランプは、軽量鉄骨の天井板、一般の天井板、壁面などの平面上へ取り付けることができるため応用範囲が広く、製造・組立てが簡単でコストが少ないなどの特長を有する。
【図面の簡単な説明】
【００１８】
【図１】図１は、本考案の一実施形態に係る軽量鉄骨グリッドランプを示す分解斜視図である。
【図２】図２は、本考案の一実施形態に係る軽量鉄骨グリッドランプを示す斜視図である。
【図３】図３は、本考案の一実施形態に係る軽量鉄骨グリッドランプを示す断面図である。
【図４】図４は、本考案の一実施形態に係るランプモジュールを示す分解斜視図である。
【図５】図５は、本考案の一実施形態に係るランプモジュールを示す分解斜視図である。
【図６】図６は、ランプモジュールを斜め上から見たときの状態を示す斜視図である。
【図７】図７は、ランプモジュールを示す断面図である。
【図８】図８は、ランプモジュールを他の方式により取り付けたときの状態を示す斜視図である。
【図９】図９は、他の実施形態に係るグリッドランプカバーを示す斜視図である。
【考案を実施するための形態】
【００１９】
以下、本考案の実施形態について図に基づいて説明する。なお、これによって本考案が限定されるものではない。
【００２０】
図１〜図３を参照する。図１〜図３に示すように、本考案の一実施形態に係る軽量鉄骨グリッドランプは、ランプケース１、２つのランプモジュール２、２つの駆動器３及びグリッドランプカバー４を含む。
【００２１】
ランプケース１は、金属板をプレス成形により一体化したり折り曲げて下方に開口した矩形状筐体に製作したりしてもよい。ランプケース１は、矩形状の底板１０と、底板１０の４つの側辺から延びた４つの枠辺１１と、を有する。
【００２２】
２つのランプモジュール２は、複数の位置決めネジ２０により、ランプケース１の底板１０の底面に螺着され、ランプの光を下向きに出射する。ランプモジュール２の数は、本実施形態では２つであるが、２つだけに限定されるわけではなく、実際の必要に応じて３つ、４つ、５つ、６つ・・・などにしてもよい。
【００２３】
２つの駆動器３は、ランプケース１の底板１０の底面に着脱自在に接続され、２つのランプモジュール２中にそれぞれ設置してもよい。各駆動器３は、対応したランプモジュール２と電気的に接続するために用いる第２の導線３０が一方の端面に設けられ、外部に延ばして外部電源と電気的に接続する電源線３１が他方の端面に設けられる。勿論、本実施形態の駆動器３の数は、ランプモジュール２の数に応じて変えてもよい。
【００２４】
グリッドランプカバー４は、枠体４０、複数の光反射板４１及び複数の格子４２を含む。枠体４０は、ランプケース１の４つの枠辺１１の内側に着脱自在に接続される。複数の光反射板４１は、枠体４０中に長手方向で設置され、それぞれに傾斜角度が設けられて複数のランプモジュール２から出射された光を底板１０から遠ざける方向へ屈折させる。複数の格子４２は、枠体４０中に短手方向で接続され、複数の光反射板４１と交錯される。
【００２５】
図４〜図７を参照する。図４〜図７に示すように、本考案の一実施形態に係る軽量鉄骨グリッドランプのランプモジュール２は、ランプホルダ２１、直管型ＬＥＤランプ２２、直管型ランプカバー２３及び２つのサイドカバー２４をそれぞれ含む。
【００２６】
ランプホルダ２１は、アルミニウム押出成形の中空状管体であり、固定片２５、２つの側片２６及び接続片２７を有する。固定片２５は、底板１０の底面に貼り付けられる。複数の位置決めネジ２０は、ランプケース１の頂面から底板１０に挿設されてランプホルダ２１の固定片２５上に螺合される（図１及び図３を参照）。固定片２５上には、一般のＲＣ構造又は木板構造である天井板上へ引掛ける複数の引掛け孔が設けられている。これら複数の引掛け孔は、第１の引掛け孔２５０及び第２の引掛け孔２５１を含む。第１の引掛け孔２５０は、第１の挿入孔２５２と、第１の挿入孔２５２の側部から延びて小さめの孔径を有して長尺状を呈する第１の係止孔２５３と、を有する。第２の引掛け孔２５１は、第２の挿入孔２５４と、第２の挿入孔２５４の側部から延びて小さめの孔径を有して長尺状を呈する第２の係止孔２５５と、弧形状を呈して中央部が第２の係止孔２５５と連通した弧形状孔２５６と、を有する。２つの側片２６は、固定片２５の２つの側辺からそれぞれ下へ向かって延びるに従って接近した円弧状プレートに形成され、２つの側片２６の外周面上には、間隔をおいて複数の凸部２６０が設けられる。接続片２７の２つの側辺には、２つの側片２６の端辺がそれぞれ接続され、接続片２７の互いに対向した２つの側辺には、２つの溝状の係合溝２７０が設けられる。接続片２７の底面には、凹溝２７１が設けられる。凹溝２７１の槽底面の中央部には、溝部２７２が設けられる。ランプホルダ２１の両端面には、複数の螺合孔２８が形成される。
【００２７】
直管型ＬＥＤランプ２２は、回路基板２２０及び複数のＬＥＤ２２１を含む。回路基板２２０は、長尺状を呈して凹溝２７１中に嵌設され、凹溝２７１に複数の結合ネジ２２２を貫設させて溝部２７２中に螺着し、接続片２７上に固定される。回路基板２２０は、ランプホルダ２１の外部に延びる第１の導線２２３を端部に有する。第１の導線２２３の末端には、クイックプラグ２２４が設けられる。複数のＬＥＤ２２１は、回路基板２２０の底面に設けられ、ランプの光を下方向へ向けて出射させる。
【００２８】
直管型ランプカバー２３は、透光材料からなり、側面が開口状を呈する。直管型ランプカバー２３の開口の２つの側辺には、２つの係合溝２７０へ掛止する係止縁部２３０がそれぞれ形成され、直管型ＬＥＤランプ２２を覆う。
【００２９】
２つのサイドカバー２４は、ランプホルダ２１と、直管型ランプカバー２３の両端面と、を覆う。２つのサイドカバー２４の側面には、ランプホルダ２１及び直管型ランプカバー２３中に嵌入させる複数の突片２４０が設けられる。複数の螺合ネジ２４１は、２つのサイドカバー２４へそれぞれ挿設させてランプホルダ２１の両端面に設けられた螺合孔２８中に螺合させ、２つのサイドカバー２４をランプホルダ２１の両端へ結合させる。２つのサイドカバー２４のうちの１つには、第１の導線２２３又は電源線３１を挿設させるために用いる複数の穿孔２４２が対応するように設けられている。
【００３０】
図１〜図３を参照する。図１〜図３に示すように、第２の導線３０の端部には、ランプモジュール２のクイックプラグ２２４を挿着して電気的に接続するクイックソケット３２が配置されている。このように、ランプケース１中で２つのランプモジュール２と複数の駆動器３とを結合させると、ランプケース１を軽量鉄骨の天井板５に取り付けて軽量鉄骨の天井板５上の照明器具として使用することができる。
【００３１】
図４〜図７を参照する。図４〜図７に示すように、図１のランプケース１からランプモジュール２及び駆動器３を外す際、端部のサイドカバー２４を開いてから駆動器３をランプホルダ２１内へ設置し、駆動器３のクイックソケット３２中へ直管型ＬＥＤランプ２２のクイックプラグ２２４を挿着して電気的に接続した後、駆動器３の電源線３１をサイドカバー２４の穿孔２４２から延ばし、最終的にランプホルダ２１上をサイドカバー２４により覆う。このように、ランプホルダ２１の第１の引掛け孔２５０及び第２の引掛け孔２５１を用い、ＲＣ構造、木板構造などの一般の天井板６、壁面などの平面上へ引掛け、電源線３１を外部電源と電気的に接続することにより、一般の天井板６又は壁上の照明器具として使用することができる。
【００３２】
図８を参照する。図８は、ランプモジュール２を他の方式により取り付けるときの状態を示す斜視図である。図８に示すように、各サイドカバー２４上には、バンプ２４３が設けられる。バンプ２４３には、一般の天井板６上又は壁面上に螺着させる固定ネジ２４５を挿設させる固定孔２４４が設けられる。固定孔２４４は、バンプ２４３の側辺まで延びて開口状を呈し、固定ネジ２４５の頭部を収納するために用いる大きめの外径を有する階段状槽２４６が底面に形成されている。
【００３３】
図９を参照する。図９は、他の実施形態に係るグリッドランプカバー４を示す斜視図である。図９に示すように、グリッドランプカバー４は、図２の複数の格子４２は備えておらず、枠体４０中に長手方向で結合された複数の光反射板４１だけを有する。
【００３４】
上述したことから分かるように、本考案の軽量鉄骨グリッドランプは、軽量鉄骨の天井板５に全体を取り付けることができるだけでなく、ランプモジュール２を取り外してＲＣ構造、木板構造などの一般の天井板６、壁面などの平面上に取り付けることもできるため応用範囲が広くて経済価値が高い。特に、複数のランプモジュール２を既存のランプケース１中へ直接結合させることができるため、既存のランプケース１を廃棄せずに最後まで使用することができる。そのため、製造及び組立てが簡単な上、コストを大幅に減らすこともできる。特に、ランプホルダ２１により従来の蛍光灯と同じ高さに直管型ＬＥＤランプ２２を設置することができるため、既存のグリッドランプカバー４を廃棄せずに最後まで使用することができる。本考案は、既存の蛍光灯のランプとその外観に大きな違いがなく、室内空間中の軽量鉄骨グリッドランプを一部だけ交換しても違和感がないため、一部だけを徐々に交換することができる。このように全てのランプを一度に交換する必要がないため、一度に多くのコストがかかることはない。また、直管型ＬＥＤランプ２２の照射角度は、ランプホルダ２１の位置が高いため、ランプから出射される光は、屈折状態がグリッドランプカバー４により良好にされ、照明範囲が広くて輝度が高い。また、アルミニウム押出成形の中空状ランプホルダ２１と、円弧状プレートを呈した２つの側片２６と、２つの側片２６の外周面上に形成した複数の凸部２６０と、を利用することにより、直管型ＬＥＤランプ２２から発生した熱を迅速に排出させて高い放熱効果を得ることもできる。
【００３５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１      ランプケース
２      ランプモジュール
３      駆動器
４      グリッドランプカバー
５      軽量鉄骨の天井板
６      一般の天井板
１０    底板
１１    枠辺
２０    位置決めネジ
２１    ランプホルダ
２２    直管型ＬＥＤランプ
２３    直管型ランプカバー
２４    サイドカバー
２５    固定片
２６    側片
２７    接続片
２８    螺合孔
３０    第２の導線
３１    電源線
３２    クイックソケット
４０    枠体
４１    光反射板
４２    格子
２２０  回路基板
２２１  ＬＥＤ
２２２  結合ネジ
２２３  第１の導線
２２４  クイックプラグ
２３０  係止縁部
２４０  突片
２４１  螺合ネジ
２４２  穿孔
２４３  バンプ
２４４  固定孔
２４５  固定ネジ
２４６  階段状槽
２５０  第１の引掛け孔
２５１  第２の引掛け孔
２５２  第１の挿入孔
２５３  第１の係止孔
２５４  第２の挿入孔
２５５  第２の係止孔
２５６  弧形状孔
２６０  凸部
２７０  係合溝
２７１  凹溝
２７２  溝部
【図１】
0003180028.tif 000003
【図２】
0003180028.tif 000004
【図３】
0003180028.tif 000005
【図４】
0003180028.tif 000006
【図５】
0003180028.tif 000007
【図６】
0003180028.tif 000008
【図７】
0003180028.tif 000009
【図８】
0003180028.tif 000010
【図９】
0003180028.tif 000011